(57)【要約】      （修正有）【課題】防音効果の向上に適した開口部形状を有するヘルムホルツ共鳴器を備える防音装置を提供する。【解決手段】防音装置１０は、ヘルムホルツ共鳴空間７を形成する壁部と、ヘルムホルツ共鳴空間７の一部分を外部に連通させるように前記壁部に設けられた開口部１６と、を有するヘルムホルツ共鳴器１２を備える。上記壁部の少なくとも一部は、音源部材４によって構成されている。開口部１６の内面に、凹部及び凸部１８の少なくとも一方が設けられている。【選択図】図５
2020109456.tif 000002
【特許請求の範囲】
【請求項１】
ヘルムホルツ共鳴空間を形成する壁部と、
前記ヘルムホルツ共鳴空間の一部分を外部に連通させるように前記壁部に設けられた開口部と、
を有するヘルムホルツ共鳴器を備える防音装置であって、
前記壁部の少なくとも一部は、音源部材によって構成されており、
前記開口部の内面に、凹部及び凸部の少なくとも一方が設けられている
ことを特徴とする防音装置。
【請求項２】
前記開口部は、前記ヘルムホルツ共鳴空間から離れる方向に延びる首部を含み、
前記首部は、その断面積が前記ヘルムホルツ共鳴空間から離れるにつれて狭くなるように形成されている
ことを特徴とする請求項１に記載の防音装置。
【発明の詳細な説明】
【技術分野】
【０００１】
この発明は、防音装置に関し、より詳細には、ヘルムホルツ共鳴を利用した防音装置に関する。
【背景技術】
【０００２】
特許文献１には、ヘルムホルツ共鳴器を備える防音装置が開示されている。このヘルムホルツ共鳴器は、空洞（ヘルムホルツ共鳴空間）の一部分を外部に連通させる開口部を備えている。この共鳴空間内には、防音対象である発音部位（音源）が配置されている。このように構成されたヘルムホルツ共鳴器によれば、音源をヘルムホルツ共鳴器の内側に存在させることにより、次のような効果が得られる。すなわち、ヘルムホルツ共鳴周波数よりも高い周波数の音が発生した場合、ヘルムホルツ共鳴器の開口部の空気の慣性効果によって、共鳴空間内の音がその外部に伝播しにくくなる。その結果、ヘルムホルツ共鳴周波数よりも高周波側に位置する広い周波数帯域において防音効果を発揮できる。
【０００３】
また、特許文献１には、開口部の長さがヘルムホルツ共鳴器の壁の厚さよりも大きくなるように構成されたヘルムホルツ共鳴器の例が開示されている。
【先行技術文献】
【特許文献】
【０００４】
【特許文献１】国際公開第２０１２／１４４０７８号
【発明の概要】
【発明が解決しようとする課題】
【０００５】
特許文献１に記載の構成を有するヘルムホルツ共鳴器における開口部形状の選定は、防音効果を改善するうえで重要である。換言すると、開口部形状の工夫により、防音効果に改善の余地がある。
【０００６】
本発明は、上述のような課題に鑑みてなされたものであり、その目的は、防音効果の向上に適した開口部形状を有するヘルムホルツ共鳴器を備える防音装置を提供することにある。
【課題を解決するための手段】
【０００７】
本発明に係る防音装置は、ヘルムホルツ共鳴空間を形成する壁部と、前記ヘルムホルツ共鳴空間の一部分を外部に連通させるように前記壁部に設けられた開口部と、を有するヘルムホルツ共鳴器を備える。前記壁部の少なくとも一部は、音源部材によって構成されている。前記開口部の内面に、凹部及び凸部の少なくとも一方が設けられている。
【０００８】
前記開口部は、前記ヘルムホルツ共鳴空間から離れる方向に延びる首部を含んでもよい。そして、前記首部は、その断面積が前記ヘルムホルツ共鳴空間から離れるにつれて狭くなるように形成されていてもよい。
【発明の効果】
【０００９】
本発明によれば、ヘルムホルツ共鳴器の開口部の内面に、凹部及び凸部の少なくとも一方が設けられている。これにより、開口部の内部の空気抵抗が大きくなる。このため、開口部内の空気と内面との間での摩擦減衰による制振効果（すなわち、防音効果）を高めることができる。このように、本発明によれば、防音効果の向上に適した開口部形状を有するヘルムホルツ共鳴器を備える防音装置を実現することができる。
【図面の簡単な説明】
【００１０】
【図１】本発明において前提とする防音原理を利用するヘルムホルツ共鳴器の形状例を模式的に表した断面図である。
【図２】図１に示すヘルムホルツ共鳴器による防音効果を説明するためのグラフである。
【図３】開口部の長さＬを高める対策がなされたヘルムホルツ共鳴器の形状例を模式的に表した断面図である。
【図４】図３に示すヘルムホルツ共鳴器による防音効果を説明するためのグラフである。
【図５】本発明の実施の形態１に係る防音装置が備えるヘルムホルツ共鳴器の構成を模式的に表した断面図である。
【図６】本発明の実施の形態２に係る防音装置が備えるヘルムホルツ共鳴器の構成を模式的に表した断面図である。
【図７】本発明の実施の形態３に係る防音装置が備えるヘルムホルツ共鳴器の構成を模式的に表した断面図である。
【図８】本発明の実施の形態４に係る防音装置が備えるヘルムホルツ共鳴器の構成を模式的に表した断面図である。
【図９】本発明の実施の形態５に係る防音装置が備えるヘルムホルツ共鳴器の構成を模式的に表した断面図である。
【図１０】本発明の実施の形態６に係る防音装置が備えるヘルムホルツ共鳴器の構成を模式的に表した断面図である。
【図１１】本発明の実施の形態７に係る防音装置が備えるヘルムホルツ共鳴器の構成を模式的に表した断面図である。
【図１２】本発明の実施の形態８に係る防音装置が備えるヘルムホルツ共鳴器の構成を模式的に表した断面図である。
【図１３】本発明の実施の形態９に係る防音装置が備えるヘルムホルツ共鳴器の構成を模式的に表した断面図である。
【発明を実施するための形態】
【００１１】
以下、添付図面を参照して、本発明の実施の形態について説明する。ただし、各図において共通する要素には、同一の符号を付して重複する説明を省略又は簡略する。以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造等は、特に明示した場合や明らかに原理的にそれに特定される場合を除いて、この発明に必ずしも必須のものではない。
【００１２】
１．前提とするヘルムホルツ共鳴器の防音原理
図１は、本発明において前提とする防音原理を利用するヘルムホルツ共鳴器の形状例を模式的に表した断面図である。図１に示すヘルムホルツ共鳴器１は、その共鳴空間（ヘルムホルツ共鳴空間）２を形成する壁部として、防音カバー３と音源部材４（例えば、内燃機関のシリンダヘッド又はシリンダブロック）とを利用している。すなわち、ヘルムホルツ共鳴器１では、共鳴空間２を形成する壁部の一部が音源部材４によって構成されている。また、ヘルムホルツ共鳴器１は、共鳴空間２の一部分を外部に連通させるための開口部５を備えている。なお、共鳴空間２を形成する壁部の一部ではなく、その全体が音源部材によって構成されてもよい。
【００１３】
より詳細には、図１に示す一例では、防音カバー３は、音源部材４に対向する底部が開口した直方体形状を有しているものとする。そして、この例では、開口部５は、防音カバー３の縁部３ａと音源部材４との隙間を利用して形成されている。防音カバー３を音源部材４の上に設置するために、縁部３ａの一部は、音源部材４と接するように延長されていてもよい。或いは、防音カバー３は、縁部３ａの全体が音源部材４から隙間を介して離れるように支持部材（図示省略）によって支持されていてもよい。
【００１４】
ヘルムホルツ共鳴器１の共鳴周波数（ヘルムホルツ共鳴周波数）ｆ０は、以下の（１）式によって特定される。
ｃ：音速
Ｖ：ヘルムホルツ共鳴器（共鳴空間）の容積
Ｓ：開口部の面積（開口部の軸方向に垂直な開口面積）
Ｌ：開口部の長さ
δ：開口端補正係数（ヘルムホルツ共鳴器の形状に応じて定まる補正値であり、実験的に求められる値）
【数１】
2020109456.tif 000003
【００１５】
図２は、図１に示すヘルムホルツ共鳴器１による防音効果を説明するためのグラフである。図２は、ヘルムホルツ共鳴器１の入力周波数（音源部材４からの放射音の周波数（Ｈｚ））と、防音カバー性能（当該放射音の増幅率（ｄＢ））との関係を示している。ヘルムホルツ共鳴器１では、共鳴空間２に入力された放射音の共鳴は共鳴周波数ｆ０において発生する。このため、図２に示すように、放射音は、共鳴周波数ｆ０をピークとしてその近傍の周波数帯域において増幅される。その一方で、当該周波数帯域よりも高い高周波数帯域では、増幅率は、０ｄＢを下回り、かつ、入力される放射音の周波数が高いほど低下する。これは、上記の高周波数帯域においては、開口部５内の空気の慣性効果によって、ヘルムホルツ共鳴器１の内側（すなわち、共鳴空間２内）の放射音がヘルムホルツ共鳴器１の外側に伝播しにくくなるためである。
【００１６】
したがって、上述の防音原理を利用するヘルムホルツ共鳴器１によれば、共鳴周波数及びその近傍の狭い周波数帯域でしか防音効果が得られない一般的なヘルムホルツ共鳴器（例えば、特開２００１−０４１０２０号公報に記載）と比べて、より広い周波数帯域で防音効果を得ることができる。なお、本発明において前提とする防音原理を利用するヘルムホルツ共鳴器の詳細については、国際公開第２０１２／１４４０７８号に記載されている。
【００１７】
２．ヘルムホルツ共鳴周波数ｆ０の低減
図２に示す関係から、ヘルムホルツ共鳴周波数ｆ０を低減することにより、防音効果を得られる高周波数帯域を拡大できることが分かる。そして、上記（１）式によれば、開口部の長さＬを大きくすることは、ヘルムホルツ共鳴周波数ｆ０の低減に繋がることが分かる。この点に関し、図１に示すヘルムホルツ共鳴器１の形状例では、開口部５の長さＬは、防音カバー３の厚さに依存している。このため、長さＬを大きくしようとすると、防音カバー３の厚さが増大するため、防音カバー３自体の大きさが増大してしまう。その結果、防音カバー３の質量の増加、又は防音カバー３と周辺部品との干渉を招くことが懸念される。
【００１８】
図３は、開口部の長さＬを高める対策がなされたヘルムホルツ共鳴器の形状例を模式的に表した断面図である。図３に示すヘルムホルツ共鳴器６は、音源部材４との間で共鳴空間７を形成する防音カバー８を備えている。図３に示す一例では、防音カバー８は、音源部材４に対向する底部が開口した直方体形状を有しているものとする。そして、防音カバー８における底部と対向する壁部には、ヘルムホルツ共鳴器６の開口部９が形成されている。
【００１９】
そのうえで、開口部９は、共鳴空間７に対して外側に（すなわち、共鳴空間７から離れる方向に）延びるように形成された首部９ａを備えている。そして、首部９ａは、防音カバー８の厚さｄよりも大きくなるように形成されている。この首部９ａの長さが開口部９の長さＬに相当する。なお、首部は、上記の首部９ａの例に代え、例えば後述の図１０の例のように共鳴空間の内側に向けて延びていてもよい。
【００２０】
図４は、図３に示すヘルムホルツ共鳴器６による防音効果を説明するためのグラフである。なお、ここでは、図１に示すヘルムホルツ共鳴器１と図３に示すヘルムホルツ共鳴器６との間で、共鳴空間の容積Ｖ、開口部の面積Ｓ及び防音カバーの厚さｔは同じであるものとする。
【００２１】
首部９ａを設けることによって開口部９の長さＬが大きくされたヘルムホルツ共鳴器６によれば、上記の（１）式の関係から分かるように、図１に示すヘルムホルツ共鳴器１と比べて、ヘルムホルツ共鳴周波数ｆ０を低下させることができる。その結果、図４に示すように、ヘルムホルツ共鳴器１と比べて、防音効果が得られる高周波数帯域を拡大できるようになる。
【００２２】
付け加えると、ヘルムホルツ共鳴器６によれば、首部９ａの形状の設計により、ヘルムホルツ共鳴周波数ｆ０のコントロールが可能となる。また、防音カバーの厚さが共鳴周波数ｆ０に影響しなくなるので、防音カバーの薄肉化（軽量化）及び形状変更の自由度が拡大する。
【００２３】
実施の形態１．
図５は、本発明の実施の形態１に係る防音装置１０が備えるヘルムホルツ共鳴器１２の構成を模式的に表した断面図である。
【００２４】
図５に示すヘルムホルツ共鳴器１２を音源部材４とともに構成する防音カバー１４は、首部１６ａを有する開口部１６を備えている。このヘルムホルツ共鳴器１２は、開口部１６の内面１６ｂに複数の凸部１８が設けられている点において、図３に示すヘルムホルツ共鳴器６と相違している。個々の凸部１８の具体的な形状は、特に限定されないが、その一例は半球形状である。また、凸部１８の数も特に限定されず、１つ以上の所望の数であればよい。
【００２５】
開口部１６の内面１６ｂに対して上述の凸部１８が設けられると、開口部１６（首部１６ａ）の内部の空気抵抗が大きくなる。このため、開口部１６内の空気と内面１６ｂとの間での摩擦減衰による制振効果（すなわち、防音効果）を高めることができる。
【００２６】
以上のように、実施の形態１によれば、防音効果の向上に適した開口部形状を有するヘルムホルツ共鳴器１２を備える防音装置１０を実現することができる。
【００２７】
実施の形態２．
図６は、本発明の実施の形態２に係る防音装置２０が備えるヘルムホルツ共鳴器２２の構成を模式的に表した断面図である。図６に示すヘルムホルツ共鳴器２２は、防音カバー２４の開口部２６の内面２６ｂに対して凸部１８に代えて凹部２８が設けられている点において、実施の形態１のヘルムホルツ共鳴器１２と相違している。凹部２８は、一例として半球形状の穴に形成されている。
【００２８】
凸部１８に代えて凹部２８が設けられたヘルムホルツ共鳴器２２によっても、開口部２６（首部２６ａ）の内部の空気抵抗が大きくなる。このため、実施の形態１と同様に、摩擦減衰による制振効果（防音効果）を高めることができる。
【００２９】
また、本発明に係るヘルムホルツ共鳴器では、実施の形態１の開口部１６及び実施の形態２の開口部２６とは異なり、開口部の内面に対して凸部及び凹部の双方が任意の数で設けられてもよい。
【００３０】
実施の形態３．
図７は、本発明の実施の形態３に係る防音装置３０が備えるヘルムホルツ共鳴器３２の構成を模式的に表した断面図である。図７に示すヘルムホルツ共鳴器３２の防音カバー３４は、その基本形状において、実施の形態１の防音カバー１４と相違している。
【００３１】
具体的には、図７に示す形状例では、防音カバー３４は、音源部材４に対向する底部が開口した直方体形状を有しているものとする。そのうえで、本実施形態のヘルムホルツ共鳴器３２では、防音カバー３４の首部３６ａと音源部材４との隙間を利用して開口部３６が形成されている。そして、本実施形態の開口部３６の内面３６ｂには、実施の形態１と同様に、凸部１８が設けられている。より詳細には、音源部材４がシリンダヘッド又はシリンダブロックである例では、開口部３６は、防音カバー３４とシリンダヘッド等との接合部に設置されてもよい。なお、図７中の符号３８は、ヘルムホルツ共鳴器３２の共鳴空間を示している。
【００３２】
以上のように構成されたヘルムホルツ共鳴器３２によっても、実施の形態１と同様に、摩擦減衰による制振効果（防音効果）を効果的に高めることができる。
【００３３】
実施の形態４．
図８は、本発明の実施の形態４に係る防音装置４０が備えるヘルムホルツ共鳴器４２の構成を模式的に表した断面図である。図８に示すヘルムホルツ共鳴器４２が備える防音カバー４４の開口部４６は、以下に説明する点において、実施の形態１の開口部１６と相違している。
【００３４】
具体的には、開口部４６が備える首部４６ａは、その断面積が共鳴空間７から離れるにつれて狭くなるように形成されている。また、開口部４６の内面４６ｂには、実施の形態１と同様に、凸部１８が設けられている。
【００３５】
首部４６ａが上述のように狭められることによっても、首部４６ａの内部の空気抵抗が大きくなる。このため、凸部１８の設置とともに首部４６ａが狭められた実施の形態４のヘルムホルツ共鳴器４２によれば、摩擦減衰による制振効果（防音効果）をより効果的に高めることができる。
【００３６】
また、実施の形態４の開口部４６の内面４６ｂに対して、凸部１８に代え、或いはそれとともに凹部２８が設けられてもよい。このことは、後述の実施の形態５〜９に係る図９〜図１３に示す例についても同様である。
【００３７】
実施の形態５．
図９は、本発明の実施の形態５に係る防音装置５０が備えるヘルムホルツ共鳴器５２の構成を模式的に表した断面図である。図９に示すヘルムホルツ共鳴器５２の防音カバー５４は、以下に説明する点において、実施の形態３の防音カバー３４と相違している。
【００３８】
具体的には、本実施形態の防音カバー５４の開口部５６の首部５６ａは、実施の形態４と同様に、その断面積が共鳴空間７から離れるにつれて狭くなるように形成されている。また、開口部５６の内面５６ｂには、実施の形態１と同様に、凸部１８が設けられている。
【００３９】
以上のように構成されたヘルムホルツ共鳴器５２によっても、実施の形態４と同様に、摩擦減衰による制振効果（防音効果）をより効果的に高めることができる。
【００４０】
実施の形態６．
図１０は、本発明の実施の形態６に係る防音装置６０が備えるヘルムホルツ共鳴器６２の構成を模式的に表した断面図である。図１０に示すヘルムホルツ共鳴器６２の防音カバー６４は、その基本形状において、実施の形態１の防音カバー１４と相違している。
【００４１】
具体的には、図１０に示す形状例では、防音カバー６４は、一対の部位６４ａ、６４ｂを含む。一対の部位６４ａ、６４ｂは、図１０中に示す断面形状で図１０の紙面に垂直な方向に延びるように形成されている。
【００４２】
ヘルムホルツ共鳴器６２では、これらの部位６４ａ、６４ｂを図１０に示すように重ね合わせることによって首部６６ａを有する開口部６６が構成されている。そして、開口部６６の内面６６ｂには、実施の形態１と同様に、凸部１８が設けられている。なお、図１０の紙面に垂直な方向における部位６４ａ、６４のそれぞれの端部は、防音カバー６４の図示省略する他の部位によって塞がれているものとする。また、図１０中の符号６８は、ヘルムホルツ共鳴器６２の共鳴空間を示している。
【００４３】
以上のように構成されたヘルムホルツ共鳴器６２によっても、実施の形態１と同様に、摩擦減衰による制振効果（防音効果）を効果的に高めることができる。付け加えると、防音効果をさらに効果的に高めるために、開口部６６の首部６６ａは、その断面積が共鳴空間６８から離れるにつれて狭くなるように形成されてもよい。
【００４４】
実施の形態７．
図１１は、本発明の実施の形態７に係る防音装置７０が備えるヘルムホルツ共鳴器７２の構成を模式的に表した断面図である。上述した実施の形態１〜６の例（図５〜図１０）においては、ヘルツホルム共鳴空間７、３８、６８を構成する壁部の１つの面が音源部材４を利用して形成されている。
【００４５】
これに対し、図１１に示すヘルムホルツ共鳴器７２の共鳴空間７４を構成する壁部は、音源部材７６と防音カバー７８とによって構成されており、かつ、当該壁部の２つの面が音源部材７６を利用して形成されている。防音カバー７８は、図１１中に示す断面形状で図１１の紙面に垂直な方向に延びるように形成されている。なお、図１１の紙面に垂直な方向における防音カバー７８のそれぞれの端部は、防音カバー７８の他の部位（図示省略）によって塞がれているものとする。
【００４６】
ヘルムホルツ共鳴器７２では、音源部材７６の一面と防音カバー７８との隙間を利用して首部８０ａを有する開口部８０が構成されている。そして、開口部８０の内面８０ｂには、実施の形態１と同様に、凸部１８が設けられている。なお、凸部１８は、防音カバー７８側の内面８０ｂに代え、或いはそれとともに、音源部材７６側の内面８０ｂに設けられてもよい。このことは、後述の図１２及び図１３に示す例も同様である。
【００４７】
以上のように構成されたヘルムホルツ共鳴器７２によっても、実施の形態１と同様に、摩擦減衰による制振効果（防音効果）を効果的に高めることができる。付け加えると、防音効果をさらに効果的に高めるために、開口部８０の首部８０ａは、その断面積が共鳴空間７４から離れるにつれて狭くなるように形成されてもよい。
【００４８】
実施の形態８．
図１２は、本発明の実施の形態８に係る防音装置９０が備えるヘルムホルツ共鳴器９２の構成を模式的に表した断面図である。図１２に示すヘルムホルツ共鳴器９２の共鳴空間９４を構成する壁部は、音源部材９６と防音カバー９８とによって構成されており、かつ、当該壁部の３つの面が音源部材９６を利用して形成されている。防音カバー９８は、図１２中に示す断面形状で図１２の紙面に垂直な方向に延びるように形成されている。なお、図１２の紙面に垂直な方向における防音カバー９８のそれぞれの端部は、防音カバー９８の他の部位（図示省略）によって塞がれているものとする。
【００４９】
ヘルムホルツ共鳴器９２では、防音カバー９８の形状によって首部１００ａを有する開口部１００が構成されている。そして、開口部１００の内面１００ｂには、実施の形態１と同様に、凸部１８が設けられている。
【００５０】
以上のように構成されたヘルムホルツ共鳴器９２によっても、実施の形態１と同様に、摩擦減衰による制振効果（防音効果）を効果的に高めることができる。付け加えると、防音効果をさらに効果的に高めるために、開口部１００の首部１００ａは、その断面積が共鳴空間９４から離れるにつれて狭くなるように形成されてもよい。
【００５１】
実施の形態９．
図１３は、本発明の実施の形態９に係る防音装置１１０が備えるヘルムホルツ共鳴器１１２の構成を模式的に表した断面図である。図１３に示すヘルムホルツ共鳴器１１２の共鳴空間１１４を構成する壁部は、音源部材９６と防音カバー１１６とによって構成されており、かつ、実施の形態８と同様に、当該壁部の３つの面が音源部材９６を利用して形成されている。防音カバー１１６は、図１３中に示す断面形状で図１３の紙面に垂直な方向に延びるように形成されている。なお、図１３の紙面に垂直な方向における防音カバー１１６のそれぞれの端部は、防音カバー１１６の他の部位（図示省略）によって塞がれているものとする。
【００５２】
ヘルムホルツ共鳴器１１２では、防音カバー１１６の形状によって首部１１８ａを有する開口部１１８が構成されている。そして、開口部１１８の内面１１８ｂには、実施の形態１と同様に、凸部１８が設けられている。
【００５３】
以上のように構成されたヘルムホルツ共鳴器１１２によっても、実施の形態１と同様に、摩擦減衰による制振効果（防音効果）を効果的に高めることができる。付け加えると、防音効果をさらに効果的に高めるために、開口部１１８の首部１１８ａは、その断面積が共鳴空間９４から離れるにつれて狭くなるように形成されてもよい。
【００５４】
以上説明した各実施の形態に記載の例及び他の各変形例は、明示した組み合わせ以外にも可能な範囲内で適宜組み合わせてもよいし、また、本発明の趣旨を逸脱しない範囲で種々変形してもよい。
【符号の説明】
【００５５】
１、６、１２、２２、３２、４２、５２、６２、７２、９２、１１２  ヘルムホルツ共鳴器
２、７、３８、６８、７４、８２、９４、１１４  ヘルムホルツ共鳴空間
３、８、１４、２４、３４、４４、５４、６４、７８、９８、１１６  防音カバー
４、７６、９６  音源部材
５、９、１６、２６、３６、４６、５６、６６、８０、１００、１１８  開口部
９ａ、１６ａ、２６ａ、３６ａ、４６ａ、５６ａ、６６ａ、８０ａ、１００ａ、１１８ａ  開口部の首部
１０、２０、３０、４０、５０、６０、７０、９０、１１０  防音装置
１６ｂ、２６ｂ、３６ｂ、４６ｂ、５６ｂ、６６ｂ、８０ｂ、１００ｂ、１１８ｂ  開口部の内面
１８  凸部
２８  凹部
【図１】
2020109456.tif 000004
【図２】
2020109456.tif 000005
【図３】
2020109456.tif 000006
【図４】
2020109456.tif 000007
【図５】
2020109456.tif 000008
【図６】
2020109456.tif 000009
【図７】
2020109456.tif 000010
【図８】
2020109456.tif 000011
【図９】
2020109456.tif 000012
【図１０】
2020109456.tif 000013
【図１１】
2020109456.tif 000014
【図１２】
2020109456.tif 000015
【図１３】
2020109456.tif 000016